(57)【特許請求の範囲】
【請求項１】
起立状態と降下状態との選択が可能な可倒式手動支持柱であって、
設置場所に固定される基部と、
搭載物を固定できる取付台と、
該取付台と上記基部と間で、それぞれの軸支間距離を同じ長さでつなぐとともに、互いに平行に配設される２個の脚部により、上記基部を中心に上記取付台を、その姿勢を維持しながら回動できるリンク機構部と、
該リンク機構部を起立させる方向に付勢するとともに起立状態を保持するダンパーと、
上記基部から離間して設置され、上記ダンパーの付勢力に抗して上記リンク機構部を降下状態に保持するため、上記取付台に着脱可能に係止する係止手段とを備え、
上記リンク機構部の上記２個の脚部は、該脚部をその軸方向で起立状態から水平方向に倒した上記手動支持柱の降下状態時に、一方の脚部が他方の脚部の上に積み重なり合うようにするため、上記一方の脚部の軸支位置を、上記他方の脚部の軸支位置に対して、起立状態時に該脚部の幅寸法だけ、上記基部に対して上記取付台方向である上方に位置させる
ことを特徴とする可倒式手動支持柱。
【発明の詳細な説明】
【０００１】
【発明の属する技術分野】
本発明は、投光器、アンテナまたはテレビカメラ等の搭載物を取付可能な可倒式手動支持柱に関するものである。
【０００２】
【従来の技術】
投光器等の搭載物を取付けた可倒式支持柱を昇降させる機構について従来から種々の提案がなされており、搭載物の重量負担を軽減して昇降操作を容易にするために昇降の動力を提供する油圧シリンダ等の駆動源を設けたものがある。
【０００３】
【発明が解決しようとする課題】
しかし、駆動源を設けるとその駆動機構が複雑化し、装置を軽量小型化することに限界がある。
本発明は、かかる状況に鑑みてなされたものであり、昇降操作の容易性を確保しつつ軽量小型化が可能な可倒式手動支持柱を提供することを目的とする。
【０００４】
【課題を解決するための手段】
本発明は、起立状態と降下状態との選択が可能な可倒式手動支持柱であって、設置場所に固定される基部と、搭載物を固定できる取付台と、該取付台と上記基部と間で、それぞれの軸支間距離を同じ長さでつなぐとともに、互いに平行に配設される２個の脚部により、上記基部を中心に上記取付台を、その姿勢を維持しながら回動できるリンク機構部と、該リンク機構部を起立させる方向に付勢するとともに起立状態を保持するダンパーと、上記基部から離間して設置され、上記ダンパーの付勢力に抗して上記リンク機構部を降下状態に保持するため、上記取付台に着脱可能に係止する係止手段とを備え、上記リンク機構部の上記２個の脚部は、該脚部をその軸方向で起立状態から水平方向に倒した上記手動支持柱の降下状態時に、一方の脚部が他方の脚部の上に積み重なり合うようにするため、上記一方の脚部の軸支位置を、上記他方の脚部の軸支位置に対して、起立状態時に該脚部の幅寸法だけ、上記基部に対して上記取付台方向である上方に位置させる可倒式手動支持柱である。
【０００５】
【発明の実施の形態】
次に、本発明に係る可倒式手動支持柱の実施の形態について図面に基づいて説明する。
図１に示すように、本実施形態に係る可倒式手動支持柱１は、設置場所に固定された基部２と、一対の投光器７（搭載物）を載置する取付台３と、基部２と取付台３とをつなぐリンク機構部４とを備えている。
このリンク機構部４は、図１ないし図３に示すように、基部２を中心に取付台３を回動できるようになっている、いわゆる４節リンク機構である。すなわち、相対するリンクがつねに平行で、他のリンクに対して回転角速度が同一となっている。このリンク機構部４により、可倒式手動支持柱１を、起立状態（図１参照）と降下状態（図３参照）にでき、しかも、取付台３の回動時に、取付台３の姿勢が維持される。
【０００６】
リンク機構部４は、一対の脚部４１、４２を有し、該脚部４１、４２は、各下端が軸支部４１ａ、４２ａで基部２に軸支され、各上端が軸支部４１ｂ、４２ｂで台座４３に軸支されている。脚部４１の軸支部４１ａと軸支部４１ｂとの間の距離は、脚部４２の軸支部４２ａと軸支部４２ｂとの間の距離と同じである。すなわち、脚部４１、４２の軸支間距離は同じである。しかし、各脚部４１、４２の軸支部４１ａ、４２ａの位置と軸支部４１ｂ、４２ｂの位置は、軸方向で互いにわずかにずれている。すなわち、脚部４１の軸支位置は、脚部４２の軸支位置よりも長さＸだけ、取付台３寄りになっている。この長さＸは、脚部４１、４２の幅寸法と略同一である。このため、図３に示すように、一対の脚部４１、４２を倒して降下状態にすると、各脚部４１、４２の軸方向は縦方向から横方向（好ましくは略水平方向）に変わって、一対の脚部４１、４２が互いに積み重なり合う。したがって、降下状態における最大高を最小にできる。
【０００７】
リンク機構部４の脚部４１の中間部にガスダンパー５が取付けられており、そのロッド５１の先端は基部２に取付けられている。このガスダンパー５は、ガスの反力でロッド５１を押し出すものであり、これを取付けると、脚部４１を起立させる方向に付勢する。すなわち、ロッド５１が押し出されて伸びきった状態になるとリンク機構部４は起立状態となり、一方、その付勢力に抗してロッド５１を押し込むとリンク機構部４は降下状態となる。ガスダンパー５１の反力は、取付台３と投光器７とリンク機構部４との総重量により、適宜決定すればよく、ガスダンパー５を用いる数も１個に限られず、複数個用いることができる。また、ガスダンパーのストローク長も適宜決定すればよい。なお、ガスダンパー５の代わりに、オイルダンパー（図示省略）を用いることもできる。
【０００８】
図１ないし図４に示すように、基部２から離間してロック部６が設置されている。このロック部６は、図３および図５に示すように、降下状態のときに台座４３と係止する。すなわち、ガスダンパー５の反力に抗して降下状態にすると、台座４３とロック部６とが係止して降下状態を保持できる。
ロック部６には爪６１が設けられており、この爪６１に係合可能なレバー４４が台座４３にスライド可能に設けられている。したがって、降下状態でロック部６の爪６１とリンク機構部４のレバー４４とを係合すると、ガスダンパー５の付勢力に抗してリンク機構部４を降下状態で保持することができ、収納できる。
レバー４４を操作して爪６１との係合を解除すると、ガスダンパー５の付勢力がリンク機構部４を起立するように働く。このため、投光器７をわずかな力で持ち上げ、起立状態を維持できる。
【０００９】
このように、本実施形態では、ガスダンパー５のロッド５１が押し出される反力を利用して投光器７を容易に持ち上げることができる。また、その構造も簡単で、軽量化することができる。また、可倒式手動支持柱１を車両等（図示省略）に搭載した場合には、収納状態が低くなるので、高さを低く抑えることができる。
【００１０】
【発明の効果】
以上の説明から明らかなように、本発明の可倒式手動支持柱は、起立状態と降下状態との選択が可能な可倒式手動支持柱であって、設置場所に固定される基部と、搭載物を固定できる取付台と、該取付台と上記基部と間で、それぞれの軸支間距離を同じ長さでつなぐとともに、互いに平行に配設される２個の脚部により、上記基部を中心に上記取付台を、その姿勢を維持しながら回動できるリンク機構部と、該リンク機構部を起立させる方向に付勢するとともに起立状態を保持するダンパーと、上記基部から離間して設置され、上記ダンパーの付勢力に抗して上記リンク機構部を降下状態に保持するため、上記取付台に着脱可能に係止する係止手段とを備え、上記リンク機構部の上記２個の脚部は、該脚部をその軸方向で起立状態から水平方向に倒した上記手動支持柱の降下状態時に、一方の脚部が他方の脚部の上に積み重なり合うようにするため、上記一方の脚部の軸支位置を、上記他方の脚部の軸支位置に対して、起立状態時に該脚部の幅寸法だけ、上記基部に対して上記取付台方向である上方に位置させるので、投光器又は他の搭載物をわずかな力で持ち上げることができ、かつ構造も簡単で軽量に構成できるという優れた効果を奏する。
【図面の簡単な説明】
【図１】本発明の一実施形態に係る可倒式手動支持柱の起立状態における正面図である。
【図２】図１の可倒式手動支持柱を少し倒した状態の正面図である。
【図３】図１の可倒式手動支持柱の降下状態における正面図である。
【図４】図３の矢印IVから見た基部とロック部の底面図である。
【図５】図３の矢印Vから見た可倒式手動支持柱の右側面図である。
【符号の説明】
１  可倒式手動支持柱
２  基部
３  取付台
４  リンク機構部
４１、４２  脚部
４１ａ、４１ｂ、４２ａ、４２ｂ  軸支部
４３  台座
４４  レバー
５  ガスダンパー
５１  ロッド
６  ロック部
６１  爪
７  投光器
Ｘ  長さ
【図１】
0004233011.tif 000002
【図２】
0004233011.tif 000003
【図３】
0004233011.tif 000004
【図４】
0004233011.tif 000005
【図５】
0004233011.tif 000006